【手続補正書】
【提出日】平成19年4月25日(2007.4.25)
【手続補正１】
【補正対象書類名】明細書
【補正対象項目名】特許請求の範囲
【補正方法】変更
【補正の内容】
【特許請求の範囲】
【請求項１】  被記録媒体に画像を形成する画像形成手段と、
前記被記録媒体を案内する搬送路を移動する前記被記録媒体の異常状態を検知する異常検知手段と、
前記画像形成手段によって画像を形成された被記録媒体を排出する排出手段と、
前記排出手段によって排出される該画像を形成された被記録媒体が積載される被記録媒体積載手段と、
前記異常検知手段によって前記被記録媒体の異常状態を検知したとき、前記排出手段を制御して、前記排出手段に、正常に搬送された被記録媒体の排出位置と異なる位置に前記異常状態が検知された被記録媒体を排出する動作を行わせる異常識別制御手段と、
を備えたことを特徴とする異常被記録媒体識別機能付き画像形成装置。
【請求項２】  被記録媒体に画像を形成する画像形成手段と、
前記被記録媒体を案内する搬送路を移動する前記被記録媒体の異常状態を検知する異常検知手段と、
前記被記録媒体に印を付けるマーキング手段と、
前記異常検知手段によって前記被記録媒体の異常状態を検知したとき、前記マーキング手段を制御して、前記マーキング手段に、前記異常状態が検知された被記録媒体に印をつける動作を行わせる異常識別制御手段と、
を備えたことを特徴とする異常被記録媒体識別機能付き画像形成装置。
【請求項３】  被記録媒体に画像を形成する画像形成手段と、
前記被記録媒体を案内する搬送路を移動する前記被記録媒体の異常状態を検知する異常検知手段と、
前記画像形成手段によって画像を形成された被記録媒体が積載される被記録媒体積載手段と、
装置の動作状態を表示する表示手段と、
前記異常検知手段によって前記被記録媒体の異常状態を検知したとき、前記表示手段を制御して、前記表示手段に、前記異常状態が検知された被記録媒体が前記被記録媒体積載手段に積載されていることを表示する動作を行わせる異常識別制御手段と、
を備えたことを特徴とする異常被記録媒体識別機能付き画像形成装置。
【請求項４】  被記録媒体に画像を形成する画像形成手段と、
前記被記録媒体を案内する搬送路を移動する前記被記録媒体の異常状態を検知する異常検知手段と、
前記被記録媒体に印を付けるマーキング手段と、
前記画像形成手段によって画像を形成された被記録媒体を排出する排出手段と、
前記排出手段によって排出される該画像を形成された被記録媒体が積載される被記録媒体積載手段と、
前記異常検知手段によって前記被記録媒体の異常状態を検知したとき、前記マーキング手段を制御して、前記マーキング手段に、前記異常状態の被記録媒体に印をつける動作を行わせ、かつ前記排出手段を制御して、前記排出手段に、正常に搬送された被記録媒体の排出位置と異なる位置に前記異常状態が検知された被記録媒体を排出する動作を行わせる異常識別制御手段と、
を備えたことを特徴とする異常被記録媒体識別機能付き画像形成装置。
【請求項５】  被記録媒体に画像を形成する画像形成手段と、
前記被記録媒体を案内する搬送路を移動する前記被記録媒体の異常状態を検知する異常検知手段と、
装置の動作状態を表示する表示手段と、
前記画像形成手段によって画像を形成された被記録媒体を排出する排出手段と、
前記排出手段によって排出される該画像を形成された被記録媒体が積載される被記録媒体積載手段と、
前記異常検知手段によって前記被記録媒体の異常状態を検知したとき、前記排出手段を制御して、前記排出手段に、正常に搬送された被記録媒体の排出位置と異なる位置に前記異常状態が検知された被記録媒体を排出する動作を行わせ、かつ前記表示手段を制御して、前記表示手段に、前記異常状態が検知された被記録媒体が前記被記録媒体積載手段に何枚目に積載されているかを表示する動作を行わせる異常識別制御手段と、
を備えたことを特徴とする異常被記録媒体識別機能付き画像形成装置。
【請求項６】  被記録媒体に画像を形成する画像形成手段と、
前記被記録媒体を案内する搬送路を移動する前記被記録媒体の異常状態を検知する異常検知手段と、
前記被記録媒体に印を付けるマーキング手段と、
装置の動作状態を表示する表示手段と、
前記異常検知手段によって前記被記録媒体の異常状態を検知したとき、前記マーキング手段を制御して、前記マーキング手段に、前記異常状態が検知された被記録媒体に印をつける動作を行わせ、かつ前記表示手段を制御して、前記表示手段に、前記異常状態が検知された被記録媒体が前記被記録媒体積載手段に積載されていることを表示する動作を行わせる異常識別制御手段と、
を備えたことを特徴とする異常被記録媒体識別機能付き画像形成装置。
【請求項７】  被記録媒体に画像を形成する画像形成手段と、
前記被記録媒体を案内する搬送路を移動する前記被記録媒体の異常状態を検知する異常検知手段と、
前記被記録媒体に印を付けるマーキング手段と、
前記画像形成手段によって画像を形成された被記録媒体を排出する排出手段と、
前記排出手段によって排出される該画像を形成された被記録媒体が積載される被記録媒体積載手段と、
装置の動作状態を表示する表示手段と、
前記異常検知手段によって前記被記録媒体の異常状態を検知したとき、前記マーキング手段を制御して、前記マーキング手段に、前記異常状態が検知された被記録媒体に印をつける動作を行わせ、前記排出手段を制御して、前記排出手段に、正常に搬送された被記録媒体の排出位置と異なる位置に前記異常状態が検知された被記録媒体を排出する動作を行わせ、かつ前記表示手段を制御して、前記表示手段に、前記異常状態の被記録媒体が前記被記録媒体積載手段に積載されていることを表示する動作を行わせる異常識別制御手段と、
を備えたことを特徴とする異常被記録媒体識別機能付き画像形成装置。
【請求項８】  前記異常識別制御手段は、前記異常検知手段により異常状態が検知された被記録媒体の枚数分、前記被記録媒体に画像を形成するリカバリー画像形成動作を装置に行わせることを特徴とする請求項１乃至７のいずれか１項に記載の異常被記録媒体識別機能付き画像形成装置。
【請求項９】  前記異常検知手段は、前記被記録媒体の下流端の位置を検知する位置検知センサを備えていることを特徴とする請求項１乃至８のいずれか１項に記載の異常被記録媒体識別機能付き画像形成装置。
【請求項１０】  前記位置検知センサは、被記録媒体のジャムを検知するジャム検知センサと兼用されていることを特徴とする請求項９に記載の異常被記録媒体識別機能付き画像形成装置。
【請求項１１】  前記位置検知センサは、濃度比較体の濃度と前記被記録媒体の濃度との違いを検知して、前記被記録媒体の下流端の位置を検知する濃度検知センサであることを特徴とする請求項９又は１０に記載の異常被記録媒体識別機能付き画像形成装置。
【請求項１２】  前記濃度比較体は、前記搬送路であることを特徴とする請求項１１に記載の異常被記録媒体識別機能付き画像形成装置。
【請求項１３】  前記異常検知手段は、前記被記録媒体の厚みを検知して前記被記録媒体の重送を検知する厚み検知センサを備えていることを特徴とする請求項１乃至８のいずれか１項に記載の異常被記録媒体識別機能付き画像形成装置。
【請求項１４】  前記厚み検知センサは、被記録媒体のジャムを検知するジャム検知センサと兼用されていることを特徴とする請求項１３に記載の異常被記録媒体識別機能付き画像形成装置。
【請求項１５】  前記排出手段は、前記被記録媒体の搬送方向と交差する方向に前記異常状態が検知された被記録媒体を排出可能であることを特徴とする請求項１，４，５，７のいずれか１項に記載の異常被記録媒体識別機能付き画像形成装置。
【手続補正２】
【補正対象書類名】明細書
【補正対象項目名】０００７
【補正方法】変更
【補正の内容】
【０００７】
【課題を解決するための手段】
上記目的を達成するため、本発明の異常被記録媒体識別機能付き画像形成装置は、被記録媒体に画像を形成する画像形成手段と、前記被記録媒体を案内する搬送路を移動する前記被記録媒体の異常状態を検知する異常検知手段と、前記画像形成手段によって画像を形成された被記録媒体を排出する排出手段と、前記排出手段によって排出される該画像を形成された被記録媒体が積載される被記録媒体積載手段と、前記異常検知手段によって前記被記録媒体の異常状態を検知したとき、前記排出手段を制御して、前記排出手段に、正常に搬送された被記録媒体の排出位置と異なる位置に前記異常状態が検知された被記録媒体を排出する動作を行わせる異常識別制御手段と、を備えている。
【手続補正３】
【補正対象書類名】明細書
【補正対象項目名】０００８
【補正方法】変更
【補正の内容】
【０００８】
上記目的を達成するため、本発明の異常被記録媒体識別機能付き画像形成装置は、被記録媒体に画像を形成する画像形成手段と、前記被記録媒体を案内する搬送路を移動する前記被記録媒体の異常状態を検知する異常検知手段と、前記被記録媒体に印を付けるマーキング手段と、前記異常検知手段によって前記被記録媒体の異常状態を検知したとき、前記マーキング手段を制御して、前記マーキング手段に、前記異常状態が検知された被記録媒体に印をつける動作を行わせる異常識別制御手段と、を備えている。
【手続補正４】
【補正対象書類名】明細書
【補正対象項目名】０００９
【補正方法】変更
【補正の内容】
【０００９】
上記目的を達成するため、本発明の異常被記録媒体識別機能付き画像形成装置は、被記録媒体に画像を形成する画像形成手段と、前記被記録媒体を案内する搬送路を移動する前記被記録媒体の異常状態を検知する異常検知手段と、前記画像形成手段によって画像を形成された被記録媒体が積載される被記録媒体積載手段と、装置の動作状態を表示する表示手段と、前記異常検知手段によって前記被記録媒体の異常状態を検知したとき、前記表示手段を制御して、前記表示手段に、前記異常状態が検知された被記録媒体が前記被記録媒体積載手段に積載されていることを表示する動作を行わせる異常識別制御手段と、を備えている。
【手続補正５】
【補正対象書類名】明細書
【補正対象項目名】００１０
【補正方法】変更
【補正の内容】
【００１０】
上記目的を達成するため、本発明の異常被記録媒体識別機能付き画像形成装置は、被記録媒体に画像を形成する画像形成手段と、前記被記録媒体を案内する搬送路を移動する前記被記録媒体の異常状態を検知する異常検知手段と、前記被記録媒体に印を付けるマーキング手段と、前記画像形成手段によって画像を形成された被記録媒体を排出する排出手段と、前記排出手段によって排出される該画像を形成された被記録媒体が積載される被記録媒体積載手段と、前記異常検知手段によって前記被記録媒体の異常状態を検知したとき、前記マーキング手段を制御して、前記マーキング手段に、前記異常状態の被記録媒体に印をつける動作を行わせ、かつ前記排出手段を制御して、前記排出手段に、正常に搬送された被記録媒体の排出位置と異なる位置に前記異常状態が検知された被記録媒体を排出する動作を行わせる異常識別制御手段と、を備えている。
【手続補正６】
【補正対象書類名】明細書
【補正対象項目名】００１１
【補正方法】変更
【補正の内容】
【００１１】
上記目的を達成するため、本発明の異常被記録媒体識別機能付き画像形成装置は、被記録媒体に画像を形成する画像形成手段と、前記被記録媒体を案内する搬送路を移動する前記被記録媒体の異常状態を検知する異常検知手段と、装置の動作状態を表示する表示手段と、前記画像形成手段によって画像を形成された被記録媒体を排出する排出手段と、前記排出手段によって排出される該画像を形成された被記録媒体が積載される被記録媒体積載手段と、前記異常検知手段によって前記被記録媒体の異常状態を検知したとき、前記排出手段を制御して、前記排出手段に、正常に搬送された被記録媒体の排出位置と異なる位置に前記異常状態が検知された被記録媒体を排出する動作を行わせ、かつ前記表示手段を制御して、前記表示手段に、前記異常状態が検知された被記録媒体が前記被記録媒体積載手段に何枚目に積載されているかを表示する動作を行わせる異常識別制御手段と、を備えている。
【手続補正７】
【補正対象書類名】明細書
【補正対象項目名】００１２
【補正方法】変更
【補正の内容】
【００１２】
上記目的を達成するため、本発明の異常被記録媒体識別機能付き画像形成装置は、被記録媒体に画像を形成する画像形成手段と、前記被記録媒体を案内する搬送路を移動する前記被記録媒体の異常状態を検知する異常検知手段と、前記被記録媒体に印を付けるマーキング手段と、装置の動作状態を表示する表示手段と、前記異常検知手段によって前記被記録媒体の異常状態を検知したとき、前記マーキング手段を制御して、前記マーキング手段に、前記異常状態が検知された被記録媒体に印をつける動作を行わせ、かつ前記表示手段を制御して、前記表示手段に、前記異常状態が検知された被記録媒体が前記被記録媒体積載手段に積載されていることを表示する動作を行わせる異常識別制御手段と、を備えている。
【手続補正８】
【補正対象書類名】明細書
【補正対象項目名】００１３
【補正方法】変更
【補正の内容】
【００１３】
上記目的を達成するため、本発明の異常被記録媒体識別機能付き画像形成装置は、被記録媒体に画像を形成する画像形成手段と、前記被記録媒体を案内する搬送路を移動する前記被記録媒体の異常状態を検知する異常検知手段と、前記被記録媒体に印を付けるマーキング手段と、前記画像形成手段によって画像を形成された被記録媒体を排出する排出手段と、前記排出手段によって排出される該画像を形成された被記録媒体が積載される被記録媒体積載手段と、装置の動作状態を表示する表示手段と、前記異常検知手段によって前記被記録媒体の異常状態を検知したとき、前記マーキング手段を制御して、前記マーキング手段に、前記異常状態が検知された被記録媒体に印をつける動作を行わせ、前記排出手段を制御して、前記排出手段に、正常に搬送された被記録媒体の排出位置と異なる位置に前記異常状態が検知された被記録媒体を排出する動作を行わせ、かつ前記表示手段を制御して、前記表示手段に、前記異常状態の被記録媒体が前記被記録媒体積載手段に積載されていることを表示する動作を行わせる異常識別制御手段と、を備えている。
【手続補正９】
【補正対象書類名】明細書
【補正対象項目名】００１４
【補正方法】変更
【補正の内容】
【００１４】
本発明の異常被記録媒体識別機能付き画像形成装置の前記異常識別制御手段は、前記異常検知手段により異常状態が検知された被記録媒体の枚数分、前記被記録媒体に画像を形成するリカバリー画像形成動作を装置に行わせることを特徴とする。
【手続補正１０】
【補正対象書類名】明細書
【補正対象項目名】００２１
【補正方法】変更
【補正の内容】
【００２１】
本発明の異常被記録媒体識別機能付き画像形成装置の前記排出手段は、前記被記録媒体の搬送方向と交差する方向に前記異常状態が検知された被記録媒体を排出可能であることを特徴とする。